(57)【要約】【課題】遠赤外線特性を具えたゲームコントローラーの提供。【解決手段】ゲームコントローラーのキー、貼り付け片及びケース部分に遠赤外線放射特性を具えた材料が塗装されるか或いはプラスチック原料中に添加されて成形され、或いは遠赤外線放射特性を祖なせた材料がシールに形成されてゲームコントローラーのキー、貼り付け片及びケース表面に接着され、別に遠赤外線放射特性を具えた防滑カバーが直接　ゲームコントローラーの握持部に套設されて操作者が長時間ゲームコントローラーを握持操作する時に遠赤外線放射により両手を疲労させにくくし且つ血液循環を促進し、操作者がゲームをする時に遠赤外線による効果を享受できるようにする。【選択図】　　　　図２
0003098351.tif 000002
【実用新案登録請求の範囲】
【請求項１】
ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのケースのプラスチック原料中に遠赤外線特性材料を具え、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラー。
【請求項２】
請求項１記載の遠赤外線特性を具えたゲームコントローラーにおいて、ゲームコントローラーのキーのプラスチック原料が遠赤外線特性材料を具えたことを特徴とする、遠赤外線特性を具えたゲームコントローラー。
【請求項３】
ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのキーのプラスチック原料中に遠赤外線特性材料を具え、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラー。
【請求項４】
ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのケースの表面に遠赤外線特性を具えた貼り付け片が貼り付けられ、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラー。
【請求項５】
請求項４記載の遠赤外線特性を具えたゲームコントローラーにおいて、ゲームコントローラーの表面に貼り付けられた遠赤外線特性を具えた貼り付け片が握持部に位置することを特徴とする、遠赤外線特性を具えたゲームコントローラー。
【請求項６】
ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーの握持部に遠赤外線特性を具えた防滑カバーが套設され、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラー。
【請求項７】
ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのケースの表面に遠赤外線特性材料が塗装され、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラー。
【請求項８】
請求項７記載の遠赤外線特性を具えたゲームコントローラーにおいて、ゲームコントローラーの表面に塗装された遠赤外線特性材料が握持部表面に位置することを特徴とする、遠赤外線特性を具えたゲームコントローラー。
【請求項９】
請求項７記載の遠赤外線特性を具えたゲームコントローラーにおいて、ゲームコントローラーの表面に塗装された遠赤外線特性材料がキー表面に位置することを特徴とする、遠赤外線特性を具えたゲームコントローラー。
【請求項１０】
ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのキーの表面に遠赤外線特性材料が塗装され、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラー。
【請求項１１】
請求項１、３、４、６、７、１０のいずれかに記載の遠赤外線特性を具えたゲームコントローラーにおいて、ゲームコントローラーがパームトップ型ジョイスティックとされたことを特徴とする、遠赤外線特性を具えたゲームコントローラー。
【請求項１２】
請求項１、３、４、６、７、１０のいずれかに記載の遠赤外線特性を具えたゲームコントローラーにおいて、ゲームコントローラーがデスクトップ型ジョイスティックとされたことを特徴とする、遠赤外線特性を具えたゲームコントローラー。
【請求項１３】
請求項１、３、４、６、７、１０のいずれかに記載の遠赤外線特性を具えたゲームコントローラーにおいて、ゲームコントローラーがフライジョイスティックとされたことを特徴とする、遠赤外線特性を具えたゲームコントローラー。
【請求項１４】
請求項１、３、４、６、７、１０のいずれかに記載の遠赤外線特性を具えたゲームコントローラーにおいて、ゲームコントローラーがライトガンとされたことを特徴とする、遠赤外線特性を具えたゲームコントローラー。
【請求項１５】
請求項１、３、４、６、７、１０のいずれかに記載の遠赤外線特性を具えたゲームコントローラーにおいて、ゲームコントローラーが舵取り盤とされたことを特徴とする、遠赤外線特性を具えたゲームコントローラー。
【請求項１６】
請求項１、３、４、６、７、１０のいずれかに記載の遠赤外線特性を具えたゲームコントローラーにおいて、ゲームコントローラーがダンスマットとされたことを特徴とする、遠赤外線特性を具えたゲームコントローラー。
【考案の詳細な説明】
【０００１】
【考案の属する技術分野】
本考案は一種の遠赤外線特性を具えたゲームコントローラーに係り、特に、ゲーム機（テレビゲーム機、コンピュータゲーム機、パームトップ型ゲーム機）に組み合わされて使用されるゲームコントローラー表面或いはその特定位置部分に遠赤外線特性を具えた材料を設けて、操作者が長時間ゲームコントローラーを握持操作する時に、遠赤外線放射生物エネルギー電磁波の特性により接触する両手を疲労させにくくし且つ血液循環を促進し、操作者がゲームをしながら遠赤外線効果を享受できるようにした、遠赤外線特性を具えたゲームコントローラーに関する。
【０００２】
【従来の技術】
現在ゲーム市場が発展し、各ソフトウエア或いはハードウエアメーカーは不断に新しいゲーム機（テレビゲーム機、コンピュータゲーム機、パームトップ型ゲーム機等の製品）を販売し、並びに新たなゲームソフトを組合せ、消費者の要求を満足させている。新しいゲームソフトの製作がますます精緻となり内容が豊富となり、且つ音声と光の効果が刺激を増すと共に、ゲームに没頭して時間を忘れ、長時間ゲームコントローラーで操作を行うために、手部に痛みや不快感、疲労を感じやすくなり、過度に操作を続けると血液循環不良を発生して筋肉が炎症を起こすことがある。このため、操作者の心情に影響を及ぼし、操作者に一方で楽しみを、一方で傷害を恐れる心理を発生させ、これにより操作者のゲームを楽しみたい欲求を損なうことがある。
【０００３】
また、赤外線は電磁波の一種類であり、物体の温度が絶対零度（摂氏マイナス２７３度）以上であれば赤外線を放出する。赤外線波長は０．７５から１０００μｍであり、その後はそのエネルギー量と含有量の違いにより、近赤外線（波長０．７５から１．５μｍ）、中赤外線（波長１．５から５．６μｍ）、遠赤外線（波長５．６から１０００μｍ）に分けられる。
【０００４】
一般に、暖炉や火鉢、電気ストーブ等の放出する赤外線の多くは近赤外線に属し、波長が短いため大量の熱効果を発生し、人体に長期に照射すると皮膚の火傷や眼の水晶体の変性等の疾病を発生しうる。睡眠時に各種の赤外線機器を使用して暖をとることが好まれているが、一部の機器は大量に近赤外線を放出し、単位時間当たりに発生する熱エネルギーは非常に高く、さらに睡眠時には人体皮膚の痛覚と温度感覚は低くなるため上述の疾病を発生する危険が大きくなる。遠赤外線は波長が長く、エネルギーが比較的低く、使用時の火傷の恐れがなく、さらに、その他の電磁波例えば紫外線、Ｘ光及びガンマ線等は原子上の電子に遊離作用を発生させうるが、遠赤外線はそのようなことがない。
【０００５】
さらに遠赤外線と家電用品の放出する低周波（６０Ｈｚ）電磁波は異なり、家電用品の放出する低周波電磁波は電子遊離作用を発生しないが低周波電磁波は壁を貫通し人体電流の特性を改変し、その発癌性が疑われている。しかし遠赤外線はそれと異なり、人体自身が波長約９μｍの遠赤外線を放出し、外在の遠赤外線の人体皮膚の透過力は僅かに０．０１から０．１ｃｍであり、ゆえに低周波（６０Ｈｚ）電磁波と混同して語ることはできない。
【０００６】
最近、日本、ロシア、中国及び台湾で、遠赤外線は多くの疾病の治療補助に用いられ、例えば筋肉のいたみ、筋肉炎症、床ずれ、火傷及び傷口が融合しにくい場合等にあって、いずれも遠赤外線により血液循環を促進し、治療補助の目的を達成している。
【０００７】
ゆえに、現在市場には遠赤外線特性を利用して製造された原料が提供され、それはプラスチック材料中に添加されるか或いは直接物体表面に塗布され、或いは特定材料が物体表面に接着され、遠赤外線放射特性により血液循環促進、疲労解消等の機能を達成している。このような製品には例えば特許文献１から特許文献３に記載のものがあり、それらは遠赤外線（波長５．６から１０００μｍ）の、比較的波長が長く、エネルギーが比較的低く、且つ使用時に電子遊離作用を発生せず、人体と共振作用を発生する特性を利用し、熱効果を発生し、血液循環を促進するのに使用されている。ゆえにいかに遠赤外線の優良な特性を有効に発揮させた製品を提供するかがこの業界の検討する方向とされている。
【０００８】
【特許文献１】
台湾特許公報第２７４０９８号明細書
【特許文献２】
台湾特許公報第４３８６５５号明細書
【特許文献３】
台湾特許公報第４５３１５２号明細書
【０００９】
【考案が解決しようとする課題】
本考案は従来の技術の欠点を鑑み、遠赤外線特性を具えたゲームコントローラーを提供し、使用者の操作上の不適性を減少するものである。
【００１０】
本考案の主要な目的は、一種の遠赤外線特性を具えたゲームコントローラーを提供することにあり、それは遠赤外線特性を具えた材料がゲームコントローラーのキー、貼り付け片、及びケース或いはその任意の組合せに塗装されるか或いは添加され、使用者がゲームコントローラーを握持する時に、遠赤外線生物エネルギー電磁波の放射特性により血液循環を促進できるようにしたものとする。
【００１１】
本考案のもう一つの目的は、遠赤外線特性を具えたゲームコントローラーを提供することにあり、それは、遠赤外線放射特性を具えた材料がゲームコントローラーのキー、貼り付け片及びケース表面或いはその任意の組合せに貼り付けられ、使用者がゲームコントローラーを握持する時に、遠赤外線生物エネルギー電磁波の放射特性により血液循環を促進できるようにしたものとする。
【００１２】
本考案の別の目的は、遠赤外線特性を具えたゲームコントローラーを提供することにあり、それは、遠赤外線特性を具えた材料で形成された防滑カバーがゲームコントローラーの握持部に套設されて、使用者がゲームコントローラーを握持する時に、遠赤外線生物エネルギー電磁波の放射特性により血液循環を促進できるようにしたものとする。
【００１３】
本考案により実施されたゲームコントローラーは、遠赤外線特性を具えた材料が結合され、遠赤外線生物エネルギー電磁波の放射特性により、長時間使用者がゲームコントローラーを握持操作する時、両手を疲労させにくくし、並びに血液循環を促進し、一方でゲームを楽しみ、一方で遠赤外線の効果を享受できるようにする。
【００１４】
【課題を解決するための手段】
請求項１の考案は、ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのケースのプラスチック原料中に遠赤外線特性材料を具え、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラーとしている。
請求項２の考案は、請求項１記載の遠赤外線特性を具えたゲームコントローラーにおいて、ゲームコントローラーのキーのプラスチック原料が遠赤外線特性材料を具えたことを特徴とする、遠赤外線特性を具えたゲームコントローラーとしている。
請求項３の考案は、ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのキーのプラスチック原料中に遠赤外線特性材料を具え、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラーとしている。
請求項４の考案は、ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのケースの表面に遠赤外線特性を具えた貼り付け片が貼り付けられ、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラーとしている。
請求項５の考案は、請求項４記載の遠赤外線特性を具えたゲームコントローラーにおいて、ゲームコントローラーの表面に貼り付けられた遠赤外線特性を具えた貼り付け片が握持部に位置することを特徴とする、遠赤外線特性を具えたゲームコントローラーとしている。
請求項６の考案は、ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーの握持部に遠赤外線特性を具えた防滑カバーが套設され、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラーとしている。
請求項７の考案は、ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのケースの表面に遠赤外線特性材料が塗装され、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラーとしている。
請求項８の考案は、請求項７記載の遠赤外線特性を具えたゲームコントローラーにおいて、ゲームコントローラーの表面に塗装された遠赤外線特性材料が握持部表面に位置することを特徴とする、遠赤外線特性を具えたゲームコントローラーとしている。
請求項９の考案は、請求項７記載の遠赤外線特性を具えたゲームコントローラーにおいて、ゲームコントローラーの表面に塗装された遠赤外線特性材料がキー表面に位置することを特徴とする、遠赤外線特性を具えたゲームコントローラーとしている。
請求項１０の考案は、ゲーム機に組み合わされてゲームソフトの操作に使用され、プラスチックケースで一体に結合された制御回路、通信インタフェース及び複数のキーを具えた遠赤外線特性を具えたゲームコントローラーにおいて、
該ゲームコントローラーのキーの表面に遠赤外線特性材料が塗装され、ゲームコントローラーが遠赤外線特性を具備し、遠赤外線放射生物エネルギー電磁波の特性により、操作者が長時間ゲームコントローラーを使用した後に両手に疲労を発生させにくく、ゲームを楽しむ一方で遠赤外線効果を享受できるように形成されたことを特徴とする、遠赤外線特性を具えたゲームコントローラーとしている。
請求項１１の考案は、請求項１、３、４、６、７、１０のいずれかに記載の遠赤外線特性を具えたゲームコントローラーにおいて、ゲームコントローラーがパームトップ型ジョイスティックとされたことを特徴とする、遠赤外線特性を具えたゲームコントローラーとしている。
請求項１２の考案は、請求項１、３、４、６、７、１０のいずれかに記載の遠赤外線特性を具えたゲームコントローラーにおいて、ゲームコントローラーがデスクトップ型ジョイスティックとされたことを特徴とする、遠赤外線特性を具えたゲームコントローラーとしている。
請求項１３の考案は、請求項１、３、４、６、７、１０のいずれかに記載の遠赤外線特性を具えたゲームコントローラーにおいて、ゲームコントローラーがフライジョイスティックとされたことを特徴とする、遠赤外線特性を具えたゲームコントローラーとしている。
請求項１４の考案は、請求項１、３、４、６、７、１０のいずれかに記載の遠赤外線特性を具えたゲームコントローラーにおいて、ゲームコントローラーがライトガンとされたことを特徴とする、遠赤外線特性を具えたゲームコントローラーとしている。
請求項１５の考案は、請求項１、３、４、６、７、１０のいずれかに記載の遠赤外線特性を具えたゲームコントローラーにおいて、ゲームコントローラーが舵取り盤とされたことを特徴とする、遠赤外線特性を具えたゲームコントローラーとしている。
請求項１６の考案は、請求項１、３、４、６、７、１０のいずれかに記載の遠赤外線特性を具えたゲームコントローラーにおいて、ゲームコントローラーがダンスマットとされたことを特徴とする、遠赤外線特性を具えたゲームコントローラーとしている。
【００１５】
【考案の実施の形態】
図１は本考案の回路ブロック図である。使用者がゲームを行う時、ゲームコントローラー１０がゲーム機２０（テレビゲーム機、コンピュータゲーム機、パームトップ型ゲーム機とされうる）に連接される。該ゲームコントローラー１０は、通信インタフェース１０１、制御回路１０２及び複数のキー１０３を具えている。使用者がキー１０３を操作する時、キー１０３の信号が制御回路１０２を経由して通信インタフェース１０１を介してゲーム機２０に送られ、ゲームの操作制御に用いられる。
【００１６】
さらに、図１の本考案の回路ブロック図と図２の本考案の第１実施例の斜視図に示されるように、ゲームコントローラー１０の外観はプラスチックケース１０４と複数のキー１０３で組成され、ゲームコントローラー１０は良好な握持制御特性を具備するため、握持部１０５の表面に貼り付け片１０５１が設けられ得る。このゲームコントローラー１０はその機能と外形によりパームトップ型ジョイスティック１１（図２）、デスクトップ型ジョイスティック１２（図３）、フライジョイスティック１３（図４）、ライトガン１４（図５）、舵取り盤１５（図６）及びダンスマット１６（図７）に分けられる。
【００１７】
図２、３、４、５、６及び図７は本考案の第１実施例、第２実施例、第３実施例、第４実施例、第５実施例及び第６実施例の立体図であり、本考案がパームトップ型ジョイスティック１１、デスクトップ型ジョイスティック１２、フライジョイスティック１３、ライトガン１４、舵取り盤１５及びダンスマット１６に使用された実施例である。それは、遠赤外線特性を具えた材料が直接ゲームコントローラー１０のキー１０３、ケース１０４及び貼り付け片１０５１に塗装されるかその材料に添加されるか、或いはその任意の組合せとされ、使用者が長時間ゲームコントローラー１０を握持操作する時、遠赤外線放射生物エネルギー電磁波の特性により、操作者の両手の血液循環を促進し、疲労を形成させにくくし、並びに使用者が一方でゲームを楽しみ、一方で遠赤外線の効果を享受できるようにする。
【００１８】
さらに本考案のもう一つの実施方式によると、遠赤外線特性を具えた材料の貼り付け片１０５１がゲームコントローラー１０のケース１０４、握持部１０５及びキー１０３のの表面或いはその任意の組合せに貼り付けられ、且つ該貼り付け片１０５１材料で防滑ゴム皮が形成されて直接ゲームコントローラー１０のケース１０４表面の適当な位置に貼り付けられ、さらに、図４、６に示されるように、握持部１０５に遠赤外線特性を具えた材料で形成された防滑カバー１０５２が套設され、使用者が長時間ゲームコントローラー１０を握持操作する時に、遠赤外線放射生物エネルギー電磁波の特性により、操作者の両手の血液循環を促進し、疲労を形成させにくくし、並びに使用者が一方でゲームを楽しみ、一方で遠赤外線の効果を享受できるようにする。
【００１９】
このほか、本考案の遠赤外線特性を具えた貼り付け片１０５１及び防滑カバー１０５２はいずれも上述の各実施例中のゲームコントローラー１０或いはその他の同じ機能を具えたゲームコントローラーに使用でき、上述の各実施例は本考案の実際の保護範囲を限定するものではない。
以上は本考案の具体的実施例の説明であって、以上の説明に基づきなしうる細部の修飾或いは改変は、いずれも本考案の請求範囲に属するものとする。
【００２０】
【考案の効果】
総合すると、本考案の上述の遠赤外線特性を具えたゲームコントローラーは使用時に確実にその機能と目的を達成し、ゆえに本考案は実用性に優れた考案であって、実用新案登録の要件を具備している。
【図面の簡単な説明】
【図１】本考案の電気回路ブロックフロー表示図である。
【図２】本考案の第１実施例の斜視図である。
【図３】本考案の第２実施例の斜視図である。
【図４】本考案の第３実施例の斜視図である。
【図５】本考案の第４実施例の斜視図である。
【図６】本考案の第５実施例の斜視図である。
【図７】本考案の第６実施例の斜視図である。
【符号の説明】
１０　ゲームコントローラー
１０１　通信インタフェース
１０２　制御回路
１０３　キー
１０４　ケース
１０５　握持部
１０５１　貼り付け片
１０５２　防滑カバー
１１　パームトップ型ジョイスティック
１２　デスクトップ型ジョイスティック
１３　フライジョイスティック
１４　ライトガン
１５　舵取り盤
１６　ダンスマット
２０　ゲーム機
【図１】
0003098351.tif 000003
【図２】
0003098351.tif 000004
【図３】
0003098351.tif 000005
【図４】
0003098351.tif 000006
【図５】
0003098351.tif 000007
【図６】
0003098351.tif 000008
【図７】
0003098351.tif 000009